(57)【特許請求の範囲】
【請求項１】
磁気テープを巻装した単一のリールがカートリッジケース内に回転可能に収容され、該カートリッジケースに前記磁気テープを引き出すための開口部と、該開口部を開閉するスライドドアとが設けられてなる磁気テープカートリッジにおいて、
前記スライドドアは、記録再生装置側のドア作動部材が当接面に当接して該スライドドアを開方向に移動させる開操作部と、該スライドドアの前部の上部又は下部に前記カートリッジケースのスライドアが摺動するドアレールの底面に形成された係合部と係合して該スライドドアを閉位置にロックするロック部とを備え、
前記スライドドアの後端部には、該スライドドアを閉方向に付勢するドアスプリングが配設され、該ドアスプリングの付勢方向が、前記スライドドアの閉状態において、前記ロック部と係合部との係合方向に分力が作用するように設定され、
前記開操作部における当接面が、ドア作動部材の当接に連係して前記ロック部と係合部との係合を解除する方向に前記スライドドアの前部を移動させる傾斜面に形成されていることを特徴とする磁気テープカートリッジ。
【発明の詳細な説明】
【０００１】
【発明の属する技術分野】
本発明は、磁気テープを巻装した単一のリールがカートリッジケース内に回転可能に収容されてなる磁気テープカートリッジに関し、特に、磁気テープの先端部に固着されたテープ引出し用リーダーピンを引出すカートリッジケースの開口部を開閉するスライドドアのロック構造に関するものである。
【０００２】
【従来の技術】
従来、コンピュータ等の外部記憶装置に用いられる記録媒体として使用されている磁気テープカートリッジとして、例えば特開平１１−２４２８７０号に開示されているような、磁気テープを巻装した単一のリールが回転可能にカートリッジケース内に収容されたタイプのものが知られている。そして、このタイプの磁気テープカートリッジにおいては、その磁気テープの先端部に固着されたテープ引出し用リーダーピンが、上記ケース内に固定されたラッチスプリングにより側方から加えられる付勢力によって係止される態様で、上記ケース内に着脱可能に保持されるように構成されている。
【０００３】
合成樹脂製のカートリッジケースは、互いに結合された上ハーフと下ハーフとからなり、カートリッジケース内には、ローディング用のリーダーピンが終端に固着された磁気テープを巻装した単一のリールが回動可能に収容されている。カートリッジケースの一側壁には、磁気テープを引き出すための開口部が形成され、この開口部には、カートリッジケースの側壁に平行な方向に移動可能なスライドドアが取り付けられている。スライドドアはドアスプリングにより、開口部を閉じる方向に付勢されている。
【０００４】
そして、磁気テープカートリッジが外部記録装置等の記録再生装置に装填されるのに伴いスライドドアが開かれ、記録再生装置が備えているロボットアームによってリーダーピンが引き出され、磁気テープがテープ走行路の所定位置に引き込まれて、磁気テープへのデータの読み書きが可能となる。
【０００５】
【発明が解決しようとする課題】
ところで、上記のような磁気テープカートリッジにおいて、磁気テープを引き出すための開口部を開閉するスライドドアは、カートリッジの保管時又は搬送時等の不使用状態においては、落下衝撃等によって開いて開口部から内部に異物が侵入したりする可能性があることから、単にドアスプリングによって閉方向に付勢されているだけでなく、不用意に開作動しないようにロックすることが信頼性を高める点で望ましい。
【０００６】
上述の事情に鑑み、本発明の目的は、閉状態にあるスライドドアをロックして信頼性を高めるようにした磁気テープカートリッジを提供することにある。
【０００７】
【課題を解決するための手段】
本発明の磁気テープカートリッジは、磁気テープを巻装した単一のリールがカートリッジケース内に回転可能に収容され、このカートリッジケースに上記磁気テープを引き出すための開口部と、この開口部を開閉するスライドドアとが設けられてなる磁気テープカートリッジにおいて、前記スライドドアは、記録再生装置側のドア作動部材が当接面に当接して該スライドドアを開方向に移動させる開操作部と、該スライドドアの前部の上部又は下部に前記カートリッジケースのスライドアが摺動するドアレールの底面に形成された係合部と係合して該スライドドアを閉位置にロックするロック部とを備え、前記スライドドアの後端部には、該スライドドアを閉方向に付勢するドアスプリングが配設され、該ドアスプリングの付勢方向が、前記スライドドアの閉状態において、前記ロック部と係合部との係合方向に分力が作用するように設定され、前記開操作部における当接面が、ドア作動部材の当接に連係して前記ロック部と係合部との係合を解除する方向に前記スライドドアの前部を移動させる傾斜面に形成されていることを特徴とするものである。
【００１１】
【発明の効果】
本発明によれば、磁気テープを引き出すための開口部を開閉するスライドドアに閉状態をロックするロック構造を設けたことにより、カートリッジの保管時および搬送時等の不使用状態において、落下衝撃等が作用してもスライドドアを閉状態に保持して内部に異物が侵入したりするのを防止して信頼性を高めることができる。
【００１２】
特に、上記ロック部と係合部との係合が、スライドドア先端部の開操作部にドア作動部材が当接するのに伴って解除されるように構成したことにより、ロック解除専用部材を別途に設ける必要がなくなる利点がある。
【００１３】
【発明の実施の形態】
以下、図面に示す実施の形態に基づいて本発明を詳細に説明する。
【００１４】
図１は本発明が適用される磁気テープカートリッジの一例構成を示す斜視図である。図２〜図４は、本発明による磁気テープカートリッジの実施の形態を示す図で、図２はスライドドアが閉状態の開口部近傍の斜視図、図３はロック状態のスライドドア部分の断面正面図、図４はロック解除状態のスライドドア部分の断面正面図である。
【００１５】
磁気テープカートリッジ１は、図１に示したように、上ハーフ２と下ハーフ３とがビス等により締結されてなる略矩形状の扁平なカートリッジケース４内に、終端にローディング用のリーダーピン５が固着された磁気テープ６を巻装した単一のリール７が回動可能に収容されている。上記カートリッジケース４（上下ハーフ２，３）の一側壁（右側壁）には、磁気テープ６を引き出すための略矩形状の開口部８が形成され、この開口部８はドアスプリング１２（図３参照）で閉方向に付勢されたスライドドア２０により開閉され、開口部８近傍には上記スライドドア２０が摺動する溝状のドアレール１１（図３参照）が形成される。
【００１６】
また、上記磁気テープカートリッジ１はその不使用時に磁気テープ６が完全にリール７に巻き込まれた状態で、終端のリーダーピン５が開口部８の近傍に形成された凹部９に係止保持される。この凹部９には開口部８に向けて誘い込み構造に形成されたガイド面１０が連設され、奥部の収納部９に向けてリーダーピン５の端部を案内する。また、凹部９の近傍には、上記リーダーピン５を上記凹部９に着脱可能に保持するための、不図示のラッチスプリングが取り付けられている。
【００１７】
なお、この磁気テープカートリッジ１の記録再生装置への装填方向は図１の斜め右上方向であり、本明細書における前後方向は、装填方向に対応して記載してある。
【００１８】
上記開口部８を開閉するスライドドア２０は略矩形状であり、その上下縁は上下ハーフ２，３に設けられたドアレール１１に沿って開閉摺動する。このスライドドア２０の前端部には、上下縁部分を除く中央部分に外面側に突出する開操作部２１が設けられている。また、カートリッジケース４の開口部８の前端部の開口縁は、上記スライドドア２０の開操作部２１の幅に対応する部分が切り欠かれ、図２に示すように、この切欠き部４ａに閉状態のスライドドア２０の開操作部２１が挿入され、切欠き部４ａの上下の縁部にスライドドア２０の前端縁が当接して閉位置に停止し、ケース前面側に上記開操作部２１の前端面２１ａが露出している。そして、この磁気テープカートリッジ１が記録再生装置に挿入装填されるとき、開操作部２１の前端面２１ａに記録再生装置側のドア作動部材１８（図４参照）が当接して、ドアスプリング１２の付勢力に抗してライドドア２０の開作動が行われるように構成されている。
【００１９】
そして、図３および図４に示すように、上記スライドドア２０の前端部の下面には下向きに突出するロック部２２が形成され、このロック部２２が下ハーフ３のドアレール１１の底面に形成された凹状の係合部１３に係合し、スライドドア２０を閉位置にロックするようになっている。また、スライドドア２０先端の開操作部２１の前端面２１ａ、すなわち上記ドア作動部材１８との接触面が、ドア開閉方向Ｄに直交する基準面に対して上部が前方に所定角度ａ（例えば０．３度）だけ傾斜する傾斜面に形成されている。すなわち、上記前端面２１ａは、図４に示すようなドア作動部材１８との当接状態において、その押圧力Ａに対する傾斜前端面２１ａによる分力が上向きに作用し、スライドドア２０が下部の上記ロック部２２と係合部１３との係合が解除される上方方向に、ドア作動部材１８を滑り上がるように移動するようになっている。
【００２０】
上記スライドドア２０の後端部には後方に延びるロッド２３が連接され、このロッド２３の外周にコイルスプリングからなるドアスプリング１２が縮装され、スライドドア２０を閉方向に付勢している。また、上記ロック部２２の突出量は、上下のドアレール１１におけるスライドドア２０の上下端との隙間より小さく形成され、該ドアレール１１内におけるスライドドア２０の上下方向の移動量でロックが解除されるようになっている。その場合、上記ドアスプリング１２の付勢方向を、図３に示すようなスライドドア２０の閉状態において、スライドドア２０の前端部が下向きの付勢力を受けるように設定してロック部２２と係合部１３との係合を高めるようにしている。また、ロック部２２を凹状に、係合部１３を凸状に形成してもよい。
【００２１】
本実施形態によれば、保管時等の不使用状態では、図３に示すようにスライドドア２０はドアスプリング１２によって閉位置に向かって付勢され、開口部８を完全に閉じた閉位置で、前端下部のロック部２２が係合部１３に係合して、落下衝撃等によってスライドドア２０が開かないようにロックしている。磁気テープカートリッジ１を使用する際には、この磁気テープカートリッジ１が記録再生装置に装填されるのに伴い、図４に示すように開操作部２１の前端面２１ａにドア作動部材１８が当接し、スライドドア２０を開方向に押圧する。その押圧力Ａに応じて、所定角度ａで傾斜している開操作部２１の前端面２１ａがドア作動部材１８を滑り上がるように上方に移動して、下部のロック部２２と係合部１３とのロックが外れ、スライドドア２０の開作動が可能となる。このように、本実施の形態においては、ドア作動部材１８の開作動力を利用してロック状態を解除するようにして、ロック解除専用部材を別途に設けることを不要とした構造となっている。
【００２２】
次の図５〜図７は参考例のドアロック構造を示し、図５はロック状態におけるドア部分の断面背面図、図６は解除状態における同背面図、図７（Ａ），（Ｂ）はスライドドアの先端部分の側面図および底面図である。
【００２３】
本参考例におけるスライドドア７０には、その背面側の内部にロック機構が組み込まれている。このスライドドア７０の前端部にはドア作動部材１８が当接する開操作部７１が設けられ、この開操作部７１から所定の幅でドア開閉方向Ｄに延びる凹部７０ａが形成されるとともに、この凹部７０ａの途中にドア開閉方向Ｄと直交する方向に延びる摺動溝７０ｂが交差している。この溝７０ｂには、スライドドア７０の開閉方向Ｄに対して傾斜した係合溝７２ｂを備えた棒状のロック部材７２が摺動可能に挿入されている。
【００２４】
さらに上記凹部７０ａには解除部材７３が摺動可能に挿入されている。この解除部材７３は、前端がスライドドア７０の開操作部７１の前端面に露出する押圧部７３ａを有し、後部の摺動基部７３ｂとの間に傾斜部７３ｃが連接され、この傾斜部７３ｃが上記ロック部材７２の傾斜した係合溝７２ｂに係合し、解除部材７３の摺動に応じてロック部７２ａがスライドドア７０の下端から出没するように連係されている。
【００２５】
解除部材７３の後部には付勢バネ７４が縮装されて解除部材７３を前方に付勢している。また、上記ロック部材７２の下端部には突起状のロック部７２ａが設けられ、このロック部７２ａがスライドドア７０の下端から出没し、突出状態で下ハーフ３のドアレール１１の底面の凹状係合部１５に係合してスライドドア７０を閉位置にロックすし、ロック部材７２が上方に移動すると、係合が外れてロックが解除されるようになっている。
【００２６】
なお、上記凹部７０ａと解除部材７３との係合は、図７Ａに示すように蟻ほぞ構造に形成され、凹部７０ａの一部に形成された切欠き部７０ｃからロック部材７２と組み付けられた解除部材７３が装着され、その後、付勢バネ７４が組み付けられる。一方、上記ドア作動部材１８の先端部には突起部１８ａが設けられて段部を形成しており、この突起部１８ａが最初に解除部材７３の押圧部７３ａ前端に当接して、解除部材７３を後退移動させ、これによって、ロック部材７２が解除部材７３の傾斜部７３ｃのカム作用で上方へ摺動し、ロックが解除されるように構成されている。
【００２７】
上記参考例によれば、図５に示す保管時等の不使用状態では、スライドドア７０は開口部８を完全に閉じた閉位置において解除部材７３が付勢バネ７４によって前方に移動し、ロック部材７２の先端ロック部７２ａをスライドドア７０の下端から突出させて係合部１５に係合させ、落下衝撃等によってスライドドア７０が開かないようにロックしている。そして図６に示すように、ドア作動部材１８の突起部１８ａが解除部材７３の押圧部７３ａの前端面に当接すると、解除部材７３の後退移動により傾斜部７３ｃの作用でロック部材７２が上方へ移動し、ロック部７２ａと係合部１５とのロックが外れ、スライドドア７０が開作動可能となり、続く開操作部７１に対するドア作動部材１８の当接により、スライドドア７０が開作動される。本実施の形態においても、ドア作動部材１８の開作動力を利用してロック状態を解除し、別途のロック解除専用部材の設置を不要とした構造となっている。
【図面の簡単な説明】
【図１】  本発明が適用される磁気テープカートリッジの磁気テープを引き出した状態の斜視図
【図２】  本発明による磁気テープカートリッジの実施の形態において、スライドドアが閉状態の開口部近傍の斜視図
【図３】  そのスライドドアのロック状態における開口部近傍の断面正面図
【図４】  図３のロック解除状態の開口部近傍の断面正面図
【図５】  参考例のスライドドアのロック状態における開口部近傍の断面背面図
【図６】  図５の解除状態における同断面背面図
【図７】  図５のスライドドアの側面図および底面図
【符号の説明】
１    磁気テープカートリッジ
２    上ハーフ
３    下ハーフ
４    カートリッジケース
５    リーダーピン
６    磁気テープ
７    リール
８    開口部
９    リーダーピン収納用凹部
１１    ドアレール
１２    ドアスプリング
１６    係合部
１８    ドア作動部材
２０，６０，８０    スライドドア
２１，６１，８１    ドアの開操作部
２２，３２，８２    ロック部
７２    ロック部材
７３    解除部材
【図１】
0004146073.tif 000002
【図２】
0004146073.tif 000003
【図３】
0004146073.tif 000004
【図４】
0004146073.tif 000005
【図５】
0004146073.tif 000006
【図６】
0004146073.tif 000007
【図７】
0004146073.tif 000008